(57)【特許請求の範囲】
【請求項１】
略円筒状の筒部を有するケースと、
前記ケースは、上部ケースと下部ケースとを嵌合することによって形成され、前記下部ケースは、プッシュスイッチの側面を形成し、底部にガイドポールが挿入される円筒形の挿入部が設けられ、
前記筒部に嵌装され、筒部に沿って摺動自在な略円柱状であり、底部から前記ガイドポールが延出されるボタンと、
前記下部ケースの円筒形の前記挿入部に外嵌され、前記ボタンの往復動作に応じて、筒部の長軸を回転軸として所定方向に所定角度回転しながら筒部に沿って摺動往復する、底部にフランジを有する略円筒状の回転子と、
前記回転子の略円筒状の部分に挿入されて前記回転子のフランジの上面に載置され、係止される略円環板状である接続片と、
前記接続片を挟んで前記回転子と対向して前記ケースの上端面の裏面に設けられ、接続片と接触する２以上の固定端子と、
を有し、
前記ボタンの往復動作毎に前記回転子が所定角度回転することによって、前記回転子に係止された前記接続片も回転し、前記接続片と前記固定端子間とが接続されたＯＮ状態と、非接続のＯＦＦ状態とを交互に繰り返すＯＮ／ＯＦＦ動作を行うプッシュスイッチであって、
前記回転子を上方に付勢する第１スプリングと前記ボタンを上方に付勢する第２スプリングとを有し、
前記第１スプリングは、前記下部ケースと前記回転子との間に嵌挿され、前記下部ケースに支持されており、
前記第２スプリングは、前記下部ケースと前記ボタンとの間に嵌挿され、前記下部ケースに支持されており、
前記接続片の外周部には所定間隔で、固定端子方向に曲成され且つ前記固定端子と接触する板状のアームが設けられ、
このアームは、前記回転子の前記摺動往復時に生じる前記固定端子と前記回転子との距離の変化に応じて、弾性的に撓曲することで、前記固定端子と前記接続片との接触を保ち、
上死点をボタンが押圧されていない状態と、下死点をボタンがもはや下方に移動しない点まで押圧された状態としたとき、
前記下死点まで押圧されたボタンが上死点に復帰する過程で、回転子が、第１スプリングの弾発力により他の部材と衝突する際に、前記アームは、弾性的に撓曲することで、前記固定端子と前記接続片との接触を保つこと
を特徴とするプッシュスイッチ。
【請求項２】
前記筒部の内周面には、互いに案内溝で隔てられた長手方向に沿った凸条が所定間隔で形成され、それぞれの凸条の下端部は斜面状の筒部カム面となり、前記ボタンの下端部の外周面には、前記案内溝に遊嵌するリブが形成され、これらのリブの下端部は、前記筒部カム面と略同じ傾きを有する斜面状のボタンカム面となり、前記回転子の上端部には、前記案内溝に遊嵌する突起が形成され、これらの突起の上端部は、前記ボタンカム面と略逆の傾きを有する斜面状の回転子カム面とからなり、前記ボタンの往復動作の往動作時に、前記回転子カム面は前記ボタンカム面により前記案内溝に沿って押圧されることで、前記筒部カム面にスライド移動し、復動作時に、前記回転子カム面は、前記ボタンカム面に沿ってスライド移動し、前記案内溝に隣接した別の案内溝に嵌合することを特徴とする請求項１に記載のプッシュスイッチ。
【請求項３】
前記ボタンの外周面の長手方向に沿って、前記案内溝に遊嵌する過回転防止用凸条が設けられていることを特徴とする請求項１または請求項２に記載のプッシュスイッチ。
【請求項４】
前記ボタンの下端部から、このボタンの中心軸に沿って、ガイドポールが延出しており、このガイドポールに臨む前記ケースには、前記ガイドポールの端部が挿入される円筒形の挿入部が設けられていることを特徴とする請求項１から請求項３の何れか一項に記載のプッシュスイッチ。
【請求項５】
前記固定端子は、前記ケース内に設けられ前記接続片と接触する平面部と、前記プッシュスイッチに外部配線を接続するための端子部とからなり、前記端子部は、前記平面部からＵ字型に下方に延出し、さらに、前記平面部から離間する方向に曲成されていることを特徴とする請求項１から請求項４の何れか一項に記載のプッシュスイッチ。
【発明の詳細な説明】
【０００１】
【発明の属する技術分野】
本発明は、電気的スイッチに関するものであり、より詳細には、接点が軸方向のカムにより作動するプッシュスイッチに関するものである。
【０００２】
【従来の技術】
接点が軸方向のカムにより作動するプッシュスイッチとして、様々な形式のものが提案されている。
例えば、特開平２−７２５２６号公報では、図１３〜図１９に示すようなプッシュスイッチが提案されている。
【０００３】
特開平２−７２５２６号公報に記載のプッシュスイッチは、図１３の分解斜視図を参照すると、後記する押しボタン１００等が収納される略円筒状の通路１０１ａを有するアクチュエータハウジング１０１と、通路１０１ａに嵌合される内部に円筒状筒部１００ａ（図１５）を有する押しボタン１００と、この円筒状筒部１００ａ（図１５）に嵌合され、押しボタン１００の往復運動に応じて往復運動しながら所定角度回転するとともに、内部に後記回転接触担持体１０４が遊嵌されるための内部で四角柱状となる四角状内部孔部１０２ａを有するアクチュエータカムフォロワー１０２と、アクチュエータカムフォロワー１０２と後記の回転接触担持体１０４との間に介設され、アクチュエータカムフォロワー１０２及び押しボタン１００を上方に、回転接触担持体１０４を下方にそれぞれ付勢するアクチュエータリターンスプリング１０３と、前記四角状内部孔部１０２ａに遊嵌するステム１０４ａを有し、アクチュエータカムフォロワー１０２の所定角度回転に応じて水平面内で回転して、底部の回転接触要素１０５が後記の電気的接触要素１０６ａ，１０６ｂ，１０６ｃの電気的接続及び遮断を行いスイッチのＯＮ／ＯＦＦを行う回転接触担持体１０４と、電気的接触要素１０６ａ，１０６ｂ，１０６ｃが所定形状に配列された固定接触ハウジング１０６と、プッシュスイッチの底部を被覆する被覆部１０７とからなる。
【０００４】
続いて、特開平２−７２５２６号公報に記載のプッシュスイッチの主要な要素部材について説明を行う。
図１４はアクチュエータハウジング１０１の断面図である。アクチュエータハウジング１０１には、押しボタン１００が嵌合される円筒状の通路１０１ａが形成されている。この通路１０１ａの内表面には、等間隔に長手方向に沿った凸条である押しボタンガイド１０１ｂが形成されており、隣接する押しボタンガイド１０１ｂ，１０１ｂ同士は、凹溝である凹状ガイド部１０１ｃにより隔てられている。これらの押しボタンガイド１０１ｂの下端部は、斜面状に形成されカム表面１０１ｄとなっている。
【０００５】
図１５（ａ）は、押しボタン１００の側面図であり、図１５（ｂ）は押しボタン１００の断面図である。押しボタン１００は、内部に円筒状筒部１００ａを有する中空円柱状の部材であり、下端部には、半径方向外側に向かって延出する４つのスライドガイド１００ｂ（図１５（ａ）ではその３つのみ表示）が９０°間隔で設けられている。このスライドガイド１００ｂは前記した凹状ガイド部１０１ｃ（図１４）に摺動可能に嵌合され、押しボタン１００の往復運動時に、押しボタン１００を直線的に案内する。
【０００６】
押しボタン１００の下端部は、鋸刃状に形成され、各鋸刃１００ｃは頂点１００ｄと頂点１００ｄを囲む斜面であるカム面１００ｅより構成されており、鋸刃１００ｃは押しボタン１００の下端部に４５°間隔で８つ設けられている。
図１５（ｂ）より判るように、前記したスライドガイド１００ｂ（図１５）の中心軸は、各鋸刃１００ｃの頂点１００ｄを通過するように設けられている。
【０００７】
図１６（ａ）は、アクチュエータカムフォロワー１０２の側面図であり、図１６（ｂ）は、アクチュエータカムフォロワー１０２の断面図である。アクチュエータカムフォロワー１０２は図１６（ｂ）より判るように、円状の開口部を有し、内部に四角柱状の四角状内部孔部１０２ａを有する中空円柱状の部材である。
【０００８】
アクチュエータカムフォロワー１０２は、前記した円筒状筒部１００ａ（図１５（ｂ））に摺動可能に嵌装される部材であり、押しボタン１００の往復運動に伴い、上下に移動しながら、後記するカム作用により所定角度回転し、押しボタン１００の直線運動を回転運動へと変換するための部材である。
【０００９】
アクチュエータカムフォロワー１０２の下部は、拡径した拡径部１０２ｂとなっている。この拡径部１０２ｂの上端には前記した押しボタン１００に設けられた鋸刃１００ｃ（図１５（ａ），（ｂ））と同じ形状を有する鋸刃１０２ｃが設けられており、これらの鋸刃１０２ｃは、頂点１０２ｄと、この頂点１０２ｄを囲む斜面であるカム面１０２ｅより構成されている。また、アクチュエータカムフォロワー１０２の拡径部１０２ｂからは半径方向外側に９０°間隔でカムフォロワーガイド１０２ｆが延出している。
【００１０】
押しボタン１００のスライドガイド１００ｂ（図１５（ａ））の中心軸は、各鋸刃１００ｃの頂点１００ｄを通過するように設けられているが、カムフォロワーガイド１０２ｆの中心軸は鋸刃１０２ｃの頂点１０２ｄから僅かにずれて設けられている。
【００１１】
図１７は回転接触担持体１０４の側面図である。回転接触担持体１０４は、上方に向かうにつれてテーパ状に尖形する四角柱状のステム１０４ａと、このステム１０４ａの底部に設けられた略円形の金属板からなる回転接触要素１０５とからなる部材である。
【００１２】
回転接触担持体１０４は、ステム１０４ａがアクチュエータカムフォロワー１０２の四角状内部孔部１０２ａ（図１６（ｂ））に摺動的に嵌合する部材であり、押しボタン１００の往復動作に伴うアクチュエータカムフォロワー１０２の回転運動は、四角状内部孔部１０２ａを介してステム１０４ａに伝達され、回転接触要素１０５が所定角度（所定ステップ）回転し、固定接触ハウジング１０６（図１３）に設けられた電極である電気的接触要素１０６ａ，１０６ｂ，１０６ｃの電気的接続及び遮断を行いスイッチのＯＮ／ＯＦＦを行う。
尚、電気的接触要素１０６ａ，１０６ｂ，１０６ｃと回転接触要素１０５との摺動回転時の摩擦を低減するために、固定接触ハウジング１０６内部には、グリス等の潤滑剤が塗布されている。
【００１３】
次に、特開平２−７２５２６号公報に記載のプッシュスイッチの動作について説明する。
図１８は、アクチュエータハウジング１０１、押しボタン１００及びアクチュエータカムフォロワー１０２が構成するカム機構を平面的に展開した模式図である。
【００１４】
図１８（ａ）は、押しボタン１００が、押圧されていない状態を示す図面であり、押しボタン１００及びアクチュエータカムフォロワー１０２は、アクチュエータリターンスプリング１０３（不図示）により上方に付勢され固定されている。以下、この状態を上死点と言う。上死点において、スライドガイド１００ｂ（図１５）及びカムフォロワーガイド１０２ｆ（図１６）は、凹状ガイド部１０１ｃ−Ａ（図１４）に嵌合している。また、押しボタン１００の鋸刃１００ｃとアクチュエータカムフォロワー１０２の鋸刃１０２ｃは、位相がずれた状態で互いのカム面１００ｅ、１０２ｅとで接触し合っている。これは、前記したように、押しボタン１００においては、スライドガイド１００ｂの中心軸は鋸刃１００ｃの頂点１００ｄを通過するように設けられているのに対し（図１５（ａ））、アクチュエータカムフォロワー１０２においては、カムフォロワーガイド１０２ｆの中心軸が鋸刃１０２ｃの頂点１０２ｄからずれて設けられている（図１６（ａ））ためである。
【００１５】
押しボタン１００が押圧され、下降して下死点に達すると、アクチュエータカムフォロワー１０２は、アクチュエータリターンスプリング１０３の弾発力に抗しながら凹状ガイド部１０１ｃ−Ａに案内されて下方に移動していく。やがて、カムフォロワーガイド１０２ｆの突起部が、斜面状に形成されたカム表面１０１ｄの先端を越えると、アクチュエータカムフォロワー１０２は凹状ガイド部１０１ｃ−Ａの案内を離れ、アクチュエータリターンスプリング１０３の弾発力により、カム面１００ｅを滑り、図面左方向に距離Ｘだけ移動（回転）して、押しボタン１００の鋸刃１００ｃとアクチュエータカムフォロワー１０２の鋸刃１０２ｃとは、位相が一致した状態で係合する（図１８（ｂ））。鋸刃１００ｃと鋸刃１０２ｃとの位相が一致する際に、カム面１００ｅとカム面１０２ｅとが衝突することにより、“カチッ”という押圧音が発生する。
【００１６】
図１９によれば、押しボタン１００の押圧動作の終了後、押しボタン１００が解放されると、押しボタン１００及びアクチュエータカムフォロワー１０２は、アクチュエータリターンスプリング１０３の弾発力により急激に上昇していく。この上昇により、カムフォロワーガイド１０２ｆは斜面状のカム表面１０１ｄと衝突し、カム表面１０１ｄを滑りながら図面左方向に距離Ｘよりも大きな距離Ｙだけ移動（回転）する。この距離Ｙの回転時に、アクチュエータカムフォロワー１０２に嵌合された回転接触担持体１０４が大きく回転してスイッチのＯＮ／ＯＦＦ動作が行われる。
【００１７】
カムフォロワーガイド１０２ｆは、やがて凹状ガイド部１０１ｃ−Ｂに嵌合して、凹状ガイド部１０１ｃ−Ｂに案内されながら急激に上昇し上死点に至る。上死点において、カム面１００ｅとカム面１０２ｅとが衝突する際に、“カチッ”という復帰音が発生する。
【００１８】
【発明が解決しようとする課題】
特開平２−７２５２６号公報に記載の発明の特徴点は、スイッチのＯＮ／ＯＦＦが、押しボタン１００が下死点から上死点に復帰する際に行われることである。これをユーザ（人間）の動作と照らし合わせてみると、ユーザが押しボタン１００を押圧すると、先ず“カチッ”という押圧音が聞こえる。しかしこの段階ではスイッチはＯＮ／ＯＦＦせず、ボタンを下死点まで押圧して、手を離すとスイッチがＯＮ／ＯＦＦして、その後に“カチッ”という復帰音が聞こえることとなる。
【００１９】
このように、特開平２−７２５２６号公報のプッシュスイッチは、ユーザの操作感とスイッチのＯＮ／ＯＦＦとが一致しておらず、ユーザが違和感を覚えることがある。
ここに本発明の解決すべき技術的課題が存在するのであり、本発明は、押しボタンの押圧音と共にスイッチがＯＮ／ＯＦＦするプッシュスイッチ、さらには、押しボタンの往復動作において任意の時点でスイッチをＯＮ／ＯＦＦすることが可能なプッシュスイッチを提供することを第１の課題とする。
【００２０】
また、特開平２−７２５２６号公報に記載のプッシュスイッチは、押しボタン１００が下死点から上死点に復帰する際に、アクチュエータリターンスプリング１０３の弾発力により上死点においてカム面１００ｅとカム面１０２ｅとが衝突することで“カチッ”と言う復帰音を発生する。
【００２１】
ここで、特開平２−７２５２６号公報に記載のプッシュスイッチは、只１本のアクチュエータリターンスプリング１０３により、押しボタン１００とアクチュエータカムフォロワー１０２という２部材を付勢するために、アクチュエータリターンスプリングとしては、バネ定数の大きな弾発力の強いスプリングを使用しなければならなかった。そのため、上死点においてカム面１００ｅとカム面１０２ｅとが衝突することで発生する復帰音が大きいという問題点が存在した。
ここに本発明の解決すべき技術的課題が存在するのであり、本発明は、復帰音が小さいプッシュスイッチを提供することを第２の課題とする。
【００２２】
【課題を解決するための手段】
本発明は、前記した課題を解決するために次のように構成した。
請求項１に記載の発明は、略円筒状の筒部を有するケースと、前記ケースは、上部ケースと下部ケースとを嵌合することによって形成され、前記下部ケースは、プッシュスイッチの側面を形成し、底部にガイドポールが挿入される円筒形の挿入部が設けられ、
前記筒部に嵌装され、筒部に沿って摺動自在な略円柱状であり、底部から前記ガイドポールが延出されるボタンと、前記下部ケースの円筒形の前記挿入部に外嵌され、前記ボタンの往復動作に応じて、筒部の長軸を回転軸として所定方向に所定角度回転しながら筒部に沿って摺動往復する、底部にフランジを有する略円筒状の回転子と、前記回転子の略円筒状の部分に挿入されて前記回転子のフランジの上面に載置され、係止される略円環板状である接続片と、前記接続片を挟んで前記回転子と対向して前記ケースの上端面の裏面に設けられ、接続片と接触する２以上の固定端子と、を有し、前記ボタンの往復動作毎に前記回転子が所定角度回転することによって、前記回転子に係止された前記接続片も回転し、前記接続片と前記固定端子間とが接続されたＯＮ状態と、非接続のＯＦＦ状態とを交互に繰り返すＯＮ／ＯＦＦ動作を行うプッシュスイッチであって、前記回転子を上方に付勢する第１スプリングと前記ボタンを上方に付勢する第２スプリングとを有し、前記第１スプリングは、前記下部ケースと前記回転子との間に嵌挿され、前記下部ケースに支持されており、前記第２スプリングは、前記下部ケースと前記ボタンとの間に嵌挿され、前記下部ケースに支持されており、前記接続片の外周部には所定間隔で、固定端子方向に曲成され且つ前記固定端子と接触する板状のアームが設けられ、このアームは、前記回転子の前記摺動往復時に生じる前記固定端子と前記回転子との距離の変化に応じて、弾性的に撓曲することで、前記固定端子と前記接続片との接触を保ち、上死点をボタンが押圧されていない状態と、下死点をボタンがもはや下方に移動しない点まで押圧された状態としたとき、前記下死点まで押圧されたボタンが上死点に復帰する過程で、回転子が、第１スプリングの弾発力により他の部材と衝突する際に、前記アームは、弾性的に撓曲することで、前記固定端子と前記接続片との接触を保つことを特徴とするプッシュスイッチである。
【００２３】
請求項１に記載の発明によれば、ボタンの往復運動に応じて所定角度回転しながら筒部に沿って摺動往復する回転子に接続片が設けられており、この接続片には弾性的に撓曲して固定端子と接触を保つアームを設けた。
【００２４】
プッシュスイッチのＯＮ／ＯＦＦ動作は、ボタンを往復動作させることにより、回転子を所定角度回転させることにより、回転子に設けられた接続片を、固定端子間を接続した状態から非接続の状態に変更することにより行われるが、本発明のプッシュスイッチは、ボタンを押圧することで、回転子（接続片）と固定端子との間隔が広がったとしても、接続片に設けられたアームが撓曲することで、固定端子と接続片との接触が保たれるように構成されている。よって、アームの曲成（曲率）の程度を変更することにより、固定端子とアームとの接触／非接触のタイミングを、ボタンの押圧動作における任意の時期に設定することが可能となる。つまり、プッシュスイッチのＯＮ／ＯＦＦ動作のタイミングをボタンの押圧動作における任意の時期に設定することが可能となる。
【００２５】
また、固定端子の配置を変更することにより、プッシュスイッチのＯＮ／ＯＦＦ動作のタイミングをボタンの復帰動作における任意の時期に設定することが可能となる。
【００２６】
さらに、請求項１に記載の発明によれば、プッシュスイッチは、ボタンと回転子とをそれぞれ独立のスプリング（第２スプリング、第１スプリング）により上方に付勢している。そのため、個々のスプリングとしては従来よりもバネ定数が小さいものを使用することができるので、ボタンの復帰動作時に第１スプリングにより付勢された回転子が他の部材と衝突する際に発生する復帰音を従来のプッシュスイッチよりも小さくすることが可能となる。また、ボタンの復帰動作時に、第１スプリングにより付勢された回転子が他部材と衝突するが、この衝突力の一部は、回転子に設けられた接続片のアームを固定端子との間で撓曲させることに費やされるので（アームがいわばクッションとして働く）、回転子が他部材に衝突する際の衝突力を弱めることが可能となり、復帰音を従来のプッシュスイッチよりも小さくすることが可能となる。
【００２７】
請求項２に記載の発明は、前記筒部の内周面には、互いに案内溝で隔てられた長手方向に沿った凸条が所定間隔で形成され、それぞれの凸条の下端部は斜面状の筒部カム面となり、前記ボタンの下端部の外周面には、前記案内溝に遊嵌するリブが形成され、これらのリブの下端部は、前記筒部カム面と略同じ傾きを有する斜面状のボタンカム面となり、前記回転子の上端部には、前記案内溝に遊嵌する突起が形成され、これらの突起の上端部は、前記ボタンカム面と略逆の傾きを有する斜面状の回転子カム面となり、前記ボタンの往復動作の往動作時に、前記回転子カム面は前記ボタンカム面により前記案内溝に沿って押圧されることで、前記筒部カム面にスライド移動し、復動作時に、前記回転子カム面は、前記ボタンカム面に沿ってスライド移動し、前記案内溝に隣接した別の案内溝に嵌合することを特徴とする請求項１に記載のプッシュスイッチである。
【００２８】
請求項２に記載の発明によれば、筒部の内周面に設けられた案内溝にボタンのリブ及び回転子の突起が遊嵌される。ボタンが押圧されると、リブの下端部に設けられたボタンカム面が、回転子の突起の上端部に設けられた回転子カム面を押圧するので、ボタン及び回転子は案内溝に沿って下方に摺動していく。やがて、回転子の突起が斜面状に設けられた筒部カム面の先端部を越えると、回転子カム面はボタンカム面上を滑るようにしてある角度回転し、筒部カム面上に移動する。この際、“カチッ”という押圧音が発生する。
【００２９】
その後、ボタンが復帰すると、筒部カム面上に移動していた回転子カム面が、筒部カム面を滑り、前記した案内溝の隣の案内溝にある角度回転しながら嵌合する。この際に“カチッ”という復帰音が発生する。
【００３０】
請求項３に記載の発明は、前記ボタンの外周面の長手方向に沿って、前記案内溝に遊嵌する過回転防止用凸条が設けられていることを特徴とする請求項１または請求項２に記載のプッシュスイッチである。
請求項３に記載の発明によれば、ボタンの外周面に筒部の案内溝に遊嵌する過回転防止用凸条が設けられている。これにより、ボタンは常に案内溝に沿って摺動するので、例え、ボタンを押し過ぎてしまいボタンのリブが筒部カム面の先端を越えてしまったとしても、ボタンのリブが不用意に回転して筒部カム面に乗り上げるという不具合を防止することが可能となる。
【００３１】
請求項４に記載の発明は、前記ボタンの下端部から、このボタンの中心軸に沿って、ガイドポールが延出しており、このガイドポールに臨む前記ケースには、前記ガイドポールと略同径の開口を有する円筒形である挿入部が設けられていることを特徴とする請求項１から請求項３の何れか一項に記載のプッシュスイッチである。
請求項４に記載の発明によれば、ボタンの下端部から、ガイドポールが延出しており、このガイドポールはボタンが押圧された際にケースの底面に設けられた挿入部に挿入されるように構成されている。ガイドポールはこの挿入部に案内されながら移動するので、ボタンが往復動作を行う際に、ボタンの中心軸に垂直な方向のブレを抑制することが可能となる。
【００３２】
請求項５に記載の発明は、前記固定端子は、前記ケース内に設けられ前記接続片と接触する平面部と、前記プッシュスイッチに外部配線を接続するための端子部とからなり、前記端子部は、前記平面部からＵ字型に下方に延出し、さらに、前記平面部から離間する方向に曲成されていることを特徴とする請求項１から請求項４のいずれか一項に記載のプッシュスイッチである。
請求項５に記載の発明によれば、端子部を平面部からＵ字型に屈曲し、さらに平面部から離れる方向に曲成した形状としているので、端子部に挿入される外部配線の形状によらず確実に外部配線を保持することが可能となる。
【００３４】
【発明の実施の形態】
以下、本発明の実施形態を適宜図面を参照しながら説明する。
先ず、図１を参照しながら本発明のプッシュスイッチについて説明する。本発明のプッシュスイッチは、略矩形状の筐体１ａとこの筐体１ａに設けられた略円筒状の筒部１ｂとを有する上部ケース１と、この筐体１ａの上端面１ａ１の裏面に設けられ、後記する接続片４と接触する導電性材料からなる３本の固定端子２ａ，２ｂ，２ｃと、前記筒部１ｂに嵌装され、筒部１ｂの内面に沿って上下に摺動自在な略円筒状であり、底部からガイドポール３ａが延出するボタン３と、後記する回転子５のフランジ５ａに係止される導電性材料からなる略円環板状であり、外周部に所定間隔で前記固定端子２ａ，２ｂ，２ｃ方向に曲成され、前記固定端子２ａ，２ｂ，２ｃと接触する板状のアーム４ａを有する接続片４と、前記ボタン３の往復動作に応じて、筒部１ｂの長軸を回転軸として所定方向に所定角度（所定ステップ）回転しながら筒部１ｂに沿って摺動往復する、底部にフランジ５ａを有する略円筒状の回転子５と、この回転子５の円筒部を貫通し、前記ボタン３を上方に付勢する第２スプリング６と、この第２スプリング６を囲繞して同軸に設けられ回転子５を上方に付勢する第１スプリング７と、前記第１スプリング７及び第２スプリング６とを支持すると共に、底部に前記ガイドポール３ａが挿入される円筒形の挿入部８ａが設けられた下部ケース８とからなる。
【００３５】
本発明のプッシュスイッチについて簡単な動作の説明を行う。尚、以下の説明において、「上死点」とは、ボタン３が押圧されていないときの状態を示し、「下死点」とは、ボタン３がもはや下方に移動しない点まで押圧された状態を示すこととする。
【００３６】
スイッチがＯＮ状態又はＯＦＦ状態にあるプッシュスイッチにおいて、ボタン３を上死点から下方に移動させていくと、回転子５もボタン３と一緒に下方に移動する。この際、ボタン３には、第２スプリング６の弾発力と回転子５を付勢する第１スプリング７の弾発力とが掛かることになる。
【００３７】
回転子５が下方に移動すると回転子５に係止された接続片４と固定端子２ａ，２ｂ，２ｃとの間隔が広がっていくが、接続片４は、固定端子２ａ，２ｂ，２ｃ方向に曲成されたアーム４ａを有しているので、接続片４と固定端子２ａ，２ｂ，２ｃとの間隔が広がったとしても、アーム４ａが撓曲することで、この間隔を吸収するので、接続片４と固定端子２ａ，２ｂ，２ｃとは接触した状態が保たれ、従って、スイッチのＯＮ状態又はＯＦＦ状態はそのまま保持される。
【００３８】
その後、ボタン３が更に下方に移動すると、筒部１ｂ、ボタン３及び回転子５に設けられたカム機構の働きにより、“カチッ”という押圧音と共に回転子５が図１中矢印方向に所定角度回転する。この際、接続片４も回転子５と共に回転するので、固定端子２ａ，２ｂ，２ｃと接続片４との接続状態が変化し、スイッチのＯＮ／ＯＦＦ動作が行われる。尚、カム機構の詳細は後記する。
【００３９】
また、この際、ボタン３に設けられたガイドポール３ａは、下部ケース８に設けられた挿入部８ａに挿入された状態となり、ガイドポール３ａ、つまり、ボタン３は挿入部８ａに案内されながら上下方向に摺動するので、ボタン３の水平方向におけるブレを抑制することが可能となる。
【００４０】
ボタン３が下死点に達して押圧力が取り除かれると（ボタン３から指が離されると）、ボタン３は、ボタン３を付勢する第２スプリング６及び回転子５を付勢する第１スプリング７から弾発力を受けて復帰動作を開始し、上方に移動していく。回転子５は、第１スプリング７の弾発力を受けて、ボタン３及び接続片４を上方に押圧しながら自らも上昇していく。回転子５がある程度上昇すると、前記したカム機構の働きにより、回転子５は“カチッ”という復帰音を発すると共に、図中矢印方向に更に回転し固定される。回転子５の固定後は、ボタン３は、第２スプリング６のみの弾発力により上方に移動し、ボタン３が押圧される前の元の位置（上死点）に復帰する。
【００４１】
続いて、本発明のプッシュスイッチを構成する個々の部材についてより詳細に説明を行う。
図２（ａ）は、上部ケース１の斜視図であり、図２（ｂ）は図２（ａ）のＡ−Ａ断面図である。
【００４２】
上部ケース１は、直方体状の筐体１ａと円筒状の筒部１ｂとからなる。筐体１ａは、水平な上端面１ａ１と上端面１ａ１より垂直に下方に延出する側壁１ａ２とからなる。筒部１ｂの内周面には、互いに案内溝１ｃで隔てられ、筒部１ｂの長手方向に沿った凸条１ｄが６０°間隔で６本形成され、それぞれの凸条１ｄの下端部は斜面状の筒部カム面１ｅとなっている。
筒部１ｂは、後記するボタン３（図４）の上下の往復運動を案内する役割を果たす。また、凸条１ｄの下端部に設けられた筒部カム面１ｅは、後記する回転子５（図６）を周方向に回転させる役割を果たす。
【００４３】
図３（ａ）は、固定端子２ａ，２ｂ，２ｃの斜視図であり、図３（ｂ）は固定端子２ａ，２ｂ，２ｃの端子部２ａ２，２ｂ２，２ｃ２の側面図である。
固定端子２ａ，２ｂ，２ｃは、上部ケース１の筐体１ａにおいて上端面１ａ１（図２（ａ））の裏面に装着され、接続片４（図５）のアーム４ａと接触する平面部２ａ１，２ｂ１，２ｃ１と、後記する下部ケース８と協働して外部配線を挟持する端子部２ａ２，２ｂ２，２ｃ２とからなる。
【００４４】
固定端子２ａ，２ｂ，２ｃは、第１端子２ａ、中央端子２ｂ、第２端子２ｃという３つの端子から構成されている。プッシュスイッチを用いる際には、２本の外部配線を、１本は中央端子２ｂに、残りの１本を第１端子２ａ又は第２端子２ｃの何れかの端子に接続する。尚、固定端子２ａ，２ｂ，２ｃは銅等の導電性部材より形成されている。
【００４５】
平面部２ａ１，２ｂ１，２ｃ１は、それぞれ独特な形状に成形されている。中央端子２ｂの平面部２ｂ１は、スイッチのＯＮ／ＯＦＦ状態に関わらず、常に接触片４のアーム４ａとの接触を維持できるような形状に形成されている。また、第１端子２ａ及び第２端子２ｃの平面部２ａ１，２ｃ１は、接触片４のアーム４ａの所定角度回転毎にアーム４ａと接触した状態（ＯＮ状態）と非接触の状態（ＯＦＦ状態）を交互に繰り返すような形状に形成されている。
【００４６】
また、端子部２ａ２，２ｂ２，２ｃ２は、図３（ｂ）によれば、平面部２ａ１，２ｂ１，２ｃ１から、Ｕ字型に下方に延出し、さらに、平面部２ａ１，２ｂ１，２ｃ１から離間する方向に曲成されている。端子部２ａ２，２ｂ２，２ｃ２は後記する下部ケース８との間で外部配線を挟持するが、端子部２ａ２，２ｂ２，２ｃ２の形状をこのようにすることにより、外部配線の直径にバラツキが存在したり、外部配線の先端部が多少曲がっていたとしても、端子部２ａ２，２ｂ２，２ｃ２自体が撓曲することにより、外部配線の形状のバラツキを吸収するので、外部配線を確実に挟持することが可能となる。尚、一例として、中央端子２ｂがＣＯＭ端子とされ、第１端子２ａ，第２端子２ｃの何れか一方はダミーの端子になっている。
【００４７】
図４（ａ）は、ボタン３の斜視図であり、図４（ｂ）はボタン３の側面図である。
ボタン３は、略円筒状の部材であり、上端面３ｂはボタンを押圧するための押圧面となっている。また、下端面３ｃの中心から下方に向かって前記したガイドポール３ａが延出している。さらに、下端面３ｃの外周面には、筒部１ｂの案内溝１ｃ（図２（ｂ））に遊嵌する半径方向外側に張り出したリブ３ｄが６０°間隔で６本設けられている。このリブ３ｄの下端部は、前記した筒部カム面１ｅ（図２（ｂ））と略同じ方向に傾いた斜面状のボタンカム面３ｅとなっている。また、このリブ３ｄの上端に連続してボタン３の外周面には、過回転防止用凸条３ｆが６０°間隔で設けられている。この過回転防止用凸条３ｆの高さはリブ３ｄよりも低く、リブ３ｄと共に前記案内溝１ｃ（図２（ｂ））に遊嵌する。
ボタン３は、前記した筒部１ｂ（図２（ｂ））に嵌装される部材である。筒部１ｂ（図２（ｂ））に６０°間隔で設けられた案内溝１ｃ（図２（ｂ））にリブ３ｄ及び過回転防止用凸条３ｆが遊嵌し、ボタン３は、この案内溝１ｃ（図２（ｂ））に沿って直線的に往復運動を行う。
【００４８】
過回転防止用凸条３ｆは、案内溝１ｃ（図２（ｂ））に沿ってボタン３を上下に案内する役割を果たす。つまり、ボタン３が過剰に押圧されて、リブ３ｄが案内溝１ｃ（図２（ｂ））から外れる場面であっても、過回転防止用凸条３ｆが案内溝１ｃと嵌合しているので、ボタン３は上下方向のみにしか移動しない。これにより、リブ３ｄが案内溝１ｃ（図２（ｂ））から外れる場面において、ボタン３が周方向に回転して筒部１ｂの凸条１ｄ（図２（ｂ））に乗り上げてしまうという動作不良を防止することが可能となる。
【００４９】
図５（ａ）は、接続片４の斜視図であり、図５（ｂ）は接続片４の正面図であり、図５（ｃ）は接続片４の側面図である。
接続片４は銅等の導電性部材からなる略円環板状の部材であり、円環状のベース４ｂと、ベース４ｂの外周部に１２０°間隔で設けられた３本のアーム４ａとからなる。このアーム４ａは、正面視でベース４ｂの外周に沿うように（図５（ｂ））、側面視で、ベース４ｂとの接続部で屈曲し、斜め上方（固定端子２ａ，２ｂ，２ｃの方向）に延出している（図５（ｃ））。このアーム４ａは可撓性を有する材料からなるので、上方から力が加わると板バネのように撓み、力が取り除かれると再び元の形状に復帰する性質を有する。
このように本発明においては、接続片４は板バネのように撓む性質のアーム４ａを有している。下死点まで押圧されたボタン３（図４）が上死点に復帰する過程で、回転子５（図６）が、第１スプリング７の弾発力により他の部材と衝突して “カチッ”という復帰音が発生するが、本発明のプッシュスイッチにおいては、接続片４のアーム４ａが、回転子５（図６）が他部材と衝突する際に、撓んでクッションの役割を果たすので、復帰音を従来のプッシュスイッチに比べて小さくすることが可能となる。
【００５０】
また、ベース４ｂの内周部には、後記の回転子５（図６）の溝５ｅに嵌合し、接続片４を回転子５（図６）に係止するための係止部４ｃが突出している。
この接続片４は、後記の回転子５（図６）に係止され、回転子５（図６）と共に運動する部材であり、プッシュスイッチのＯＮ／ＯＦＦ動作を行う。この接続片４の動作については後記する回転子５（図６）とともに説明する。
【００５１】
図６（ａ）は、回転子５の斜視図であり、図６（ｂ）は、回転子５の側面図である。
回転子５は、略円筒状の部材であり、円筒状の本体部５ｂと、この本体部５ｂの底部に前記接続片４（図５）が係止されるフランジ５ａを有している。本体部５ｂの直径は、前記したボタン３（図４）の直径よりも一回り大きく、ボタン３（図４）の６本のリブ３ｄの外周が成す円と等しい直径を有している。
【００５２】
本体部５ｂの上端面には、前記案内溝１ｃに遊嵌する突起５ｃが６０°間隔で立設しており、この突起の上端は、前記ボタンカム面３ｅと反対の傾きを有する回転子カム面５ｄとなっている。また、本体部の側面には、１２０°間隔で長手方向に沿って、溝５ｅが形成されており、前記した接続片４（図５）の係止部４ｃ（図５（ｂ））がこの溝５ｅに係合することで、接続片４（図５）はフランジ５ａに固定される。また、フランジ５ａの上端面には、凸部５ｆが設けられており、この凸部５ｆは、ボタン３（図４）が上死点に存在する際に、上端面１ａ１（図２（ａ））の裏面に押止され、フランジ５ａと上端面１ａ１の裏面、従って、接続片４（図５）と固定端子２ａ，２ｂ，２ｃとの間に適度な間隔を保つ役割を果たしている。
【００５３】
回転子５は、後記するカム機構の働きにより、ボタン３（図４）の直線運動を回転運動に変換すると共に、接続片４（図５）と協働してスイッチのＯＮ／ＯＦＦ動作を行うための部材である。ボタン３（図４）が上死点に存在するときには、回転子５は第１スプリング７の弾発力により上端面１ａ１（図２（ａ））の裏面に押止された状態にある。この際、フランジ５ａに設けられた凸部５ｆの存在により、フランジ５ａの上端面と上端面１ａ１（図２（ａ））の裏面とは密着せず、ある間隔を空けて対峙している。上死点において、フランジ５ａに係止された接触片４は、アーム４ａが撓んだ状態でフランジ５ａと上端面１ａ１（図２（ａ））の裏面との間隔に収まると共に、上端面１ａ１（図２（ａ））の裏面に設けられた固定端子２ａ，２ｂ，２ｃ間をＯＮ状態又はＯＦＦ状態に接続している。
【００５４】
ボタン３（図４）が押圧されると、ボタンカム面３ｅは回転子カム面５ｄ、従って、回転子５を押圧しながら案内溝１ｃに沿って下降する。この際、フランジ５ａと上端面１ａ１（図２（ａ））の裏面との間隔が徐々に拡がるが、撓んだ状態にあったアーム４ａが、この間隔の拡大に対応して徐々に延びながら固定端子２ａ，２ｂ，２ｃ間を接続し続けるので、スイッチのＯＮ状態又はＯＦＦ状態はそのまま維持される。
【００５５】
さらにボタン３（図４）が押圧され、回転子カム面５ｄが案内溝１ｃの下端部よりも下降すると、回転子カム面５ｄは、案内溝１ｃの案内を離れて、案内溝１ｃ同士を隔てている斜面状の筒部カム面１ｅを周方向に滑る。つまり、回転子５が所定角度回転する。この際、回転子５に固定された接続片４（図５）も回転子５と共に回転するので、アーム４ａと固定端子２ａ，２ｂ，２ｃとの接続状態が変化しスイッチのＯＮ／ＯＦＦ動作が行われる。
このように、本発明のプッシュスイッチにおいては、スイッチのＯＮ／ＯＦＦ動作は、アーム４ａが伸び切った状態において行われるので、アーム４ａの回転時にアーム４ａと固定端子２ａ，２ｂ，２ｃとの摩擦を従来のプッシュスイッチよりも小さくすることが可能となり、アーム４ａと固定端子２ａ，２ｂ，２ｃとの間にグリス等を封入する必要がなくなった。
【００５６】
図７（ａ）は、第１スプリング７の斜視図であり、図７（ｂ）は、第２スプリング６の斜視図である。
第１スプリング７は下部ケース８と回転子５（図６）との間に嵌装される部材であり、常に回転子５（図６）を上方に付勢している。また、第２スプリング６は、下部ケース８とボタン３（図４）との間に嵌装される部材であり、常にボタン３（図４）を上方に付勢している。第２スプリング６は第１スプリング７よりも小径のコイルバネであり、第１スプリング７と第２スプリング６とは同軸に設けられている。
【００５７】
このように本発明においては、ボタン３（図４）と回転子５（図６）とを別々のスプリングで付勢している。下死点まで押圧されたボタン３（図４）が上死点に復帰する過程で“カチッ”という復帰音が発生するが、この復帰音は、回転子５（図６）が、第１スプリング７の弾発力により他の部材と衝突する際に発生するものである。
【００５８】
従来のプッシュスイッチでは、通常スプリングは１本しか使用されておらず、この１本のスプリングで、ボタン及び回転子に相当する部材の復帰を行っていた。そのため、スプリングとしては本発明の第１スプリング７よりもバネ定数の大きな強いスプリングを用いる必要があるため、ボタンがスプリングの弾発力により復帰する際に、部材同士が強い力で衝突するために大きな復帰音が発生した。
【００５９】
しかし、本発明では、ボタン３（図４）と回転子５（図６）を付勢するスプリングを別々にしたので、第１スプリング７としては従来のものよりもバネ定数が小さいスプリングを用いることが可能となり、ボタン３（図４）が復帰する際に、回転子５（図６）と他部材とが衝突することにより発生する復帰音を従来よりも小さくすることが可能となった。
【００６０】
図８は、下部ケース８の斜視図である。
下部ケース８は、上部ケース１と嵌合して、プッシュスイッチの底部を成す部材である。下部ケース８には、前記ボタン３（図４）のガイドポール３ａに対応する位置に円筒状の挿入部８ａが設けられている。この挿入部８ａは、若干拡径した開口部を有しており、この拡径した部分に前記したボタン３（図４）を付勢する第２スプリング６が挿入される。また、この円筒形の挿入部８ａには、前記した回転子５（図６）が緩く外嵌される。前記回転子５（図６）を付勢する第１スプリングは、第２スプリング６を囲繞するように第２スプリングと同軸に設けられ、下部ケース８の底部８ｄで支持される。
【００６１】
また、下部ケース８は、底面から立設し、プッシュスイッチの側面を形成する側壁８ｂ，８ｃを有している。これらの側壁８ｂ，８ｃの上端面８ｂ１，８ｃ１は、上部ケース１と嵌合する際に、上端面１ａ１（図２（ａ））の裏面と密着し、それにより、固定端子２ａ，２ｂ，２ｃの水平部２ａ１，２ｂ１，２ｃ１を上端面１ａ１（図２（ａ））の裏面との間で挟持し、固定端子２ａ，２ｂ，２ｃを固定する役割を果たす。
【００６２】
続いて、プッシュスイッチのカム機構の動作及びプッシュスイッチのＯＮ／ＯＦＦ動作ついて図９〜図１２を参照して説明する。
図９（ａ），図１０（ａ），図１１（ａ），図１２（ａ）は、筒部１ｂ、ボタン３（図４）及び回転子５（図６）が構成するカム機構を平面的に展開した模式図である。図９（ｂ），図１０（ｂ），図１１（ｂ），図１２（ｂ）は、それぞれ、図９（ａ），図１０（ａ），図１１（ａ），図１２（ａ）に対応する接続片４（図５）と第１端子２ａとの位置関係を示す模式図である。
【００６３】
図９（ａ）は、ボタン３（図４）が押圧されておらず上死点に存在するときのカム機構の状態を示す図面である。この状態においては、ボタン３（図４）のリブ３ｄ及び回転子５（図６）の突起５ｃは、それぞれ第２スプリング６（不図示）及び第１スプリング７（不図示）により上方に付勢されて、筒部１ｂの案内溝１ｃの上端に位置している。この際、リブ３ｄのボタンカム面３ｅは、回転子５（図６）の突起５ｃと接触した状態となっている。
【００６４】
図９（ｂ）は、ボタン３（図４）が図９（ａ）の状態にあるときの接続片４（図５）と第１端子２ａとの位置関係を示す模式図である。図９（ａ）の状態においては、回転子５（図６）は、第１スプリング７（不図示）に付勢されて、上端面１ａ１（図２（ａ））の裏面に最も近づいている。回転子５（図６）のフランジ５ａに設けられた凸部５ｆが上端面１ａ１（図２（ａ））の裏面と接触することで、回転子５（図６）と上部ケース１との間には適当な間隔が空いている。この状態において、フランジ５ａに設けられた接続片４（図５）のアーム４ａは、撓みながら第１端子２ａと接触し、プッシュスイッチはＯＮ状態にある。
【００６５】
図１０（ａ）は、ボタン３（図４）が押圧され始めたときのカム機構の状態を示す図面である。この状態においては、リブ３ｄは、ボタンカム面３ｅにより回転子５（図６）の突起５ｃを押しながら案内溝１ｃに沿って徐々に下降していく。突起５ｃには、ボタンカム面３ｅと回転子カム面５ｄの作用により図の右方向に向かう（回転する）力が生じているが、この段階においては、凸条１ｄの側壁により回転が阻止されている。
【００６６】
図１０（ｂ）は、ボタン３（図４）が図１０（ａ）の状態にあるときの接続片４（図５）と第１端子２ａとの位置関係を示す模式図である。リブ３ｄに押圧されることで回転子５（図６）が下降するので、回転子５（図６）と上部ケース１との間隔が図９（ｂ）よりも拡がっている。しかし、接続片４（図５）のアーム４ａが拡がった間隔に追随して変形するので、アーム４ａと第１端子２ａとの接触しており、プッシュスイッチのＯＮ状態は保たれている。
【００６７】
図１１（ａ）は、ボタン３（図４）が下死点まで押圧されたときのカム機構の状態を示す図面である。この状態においては、リブ３ｄは、案内溝１ｃの下端部まで下降しており、回転子５（図６）の突起５ｃは案内溝１ｃの案内を離れた状態となる。ところで、回転子５（図６）には、第１スプリング７により常に上向きの力が掛かっているので、突起５ｃは、図中矢印に示したようにボタンカム面３ｅ及び筒部カム面１ｅを斜め上方に滑り（回転し）、隣接したリブ３ｄに衝突して停止する。突起５ｃとリブ３ｄとが衝突する際に“カチッ”という押圧音が発生する。
【００６８】
図１１（ｂ）は、ボタン３（図４）が図１１（ａ）の状態にあるときの接続片４（図５）と第１端子２ａとの位置関係を示す模式図である。突起５ｃが図１０（ａ）よりも更に下方に移動しているので、回転子５（図６）と上部ケース１との間隔は図１０（ｂ）よりも更に拡がっている。また、図１１（ａ）に示したように、回転子５（図６）が回転したので、アーム４ａも図面右側に移動（回転）し、第１端子２ａとアーム４ａとの接触が絶たれスイッチがＯＦＦ状態に変化する。
【００６９】
このように、本発明のプッシュスイッチは、押圧音と共にスイッチのＯＮ／ＯＦＦ動作が行われる。従来のプッシュスイッチにおいては、押圧音とスイッチのＯＮ／ＯＦＦ動作のタイミングがずれていたために、プッシュスイッチを利用するユーザが違和感を覚えることがあった。しかし、本発明のプッシュスイッチでは、押圧音とスイッチのＯＮ／ＯＦＦ動作が同期しているので、プッシュスイッチを使用するユーザの操作感が向上する。
【００７０】
また、アーム４ａの屈曲の程度を変更することで、ボタン３（図４）の押圧過程において、スイッチのＯＮ／ＯＦＦ動作のタイミングを変更することが可能である。例えば、アーム４ａを殆ど屈曲させず、平面的に形成すれば、ボタン３（図４）の押し始めの時期に、押圧音を待たずに、スイッチをＯＮ／ＯＦＦ動作させることが可能となる。さらに、固定端子２ａ，２ｂ，２ｃの形状を変更することで、ボタン３（図４）が下死点から上死点に復帰する過程の任意の時点でスイッチをＯＮ／ＯＦＦ動作させることも可能である。このように本発明のプッシュスイッチは、簡単な仕様変更により、スイッチのＯＮ／ＯＦＦ動作のタイミングをボタン３（図４）の往復動作における任意の時期に変更することが可能であるので、使用目的に適合したＯＮ／ＯＦＦ動作タイミングを有するプッシュスイッチを得ることが可能となる。
【００７１】
図１２（ａ）は、ボタン３（図４）が、第１スプリング７及び第２スプリング６の弾発力により上昇し、上死点に復帰したときのカム機構の状態を示す図面である。この状態においては、突起５ｃは、第１スプリング７により上方に付勢されて筒部カム面１ｅを滑り（回転し）、初めに位置した案内溝１ｃに隣接した案内溝１ｃに嵌合する。突起５ｃが案内溝１ｃに嵌合する際に、突起５ｃがリブ３ｄのボタンカム面３ｅと衝突することにより、“カチッ”という復帰音を発する。
【００７２】
本発明のプッシュスイッチにおいては、回転子５（図６）は、従来のものよりもバネ定数が小さい第１のスプリング７により付勢され、ボタンカム面３ｅと衝突するので、従来のプッシュスイッチに比べて復帰音を小さくすることが可能となる。
【００７３】
図１２（ｂ）は、ボタン３（図４）が、図１２（ａ）の状態にあるときの接続片４（図５）と第１端子２ａとの位置関係を示す模式図である。
図１２（ａ）の状態においては、ボタン３（図４）が上死点に復帰したので、回転子５（図６）は上端面１ａ１（図２（ａ））の裏面に最も近づいた状態となっている。図９（ｂ）同様に、凸部５ｆが上端面１ａ１（図２（ａ））の裏面と接触して、回転子５（図６）と上部ケース１との間に適当な間隔を保っている。この状態において、接続片４（図５）のアーム４ａは、第１端子２ａとは接触しておらず、プッシュスイッチはＯＦＦ状態にある。
【００７４】
【発明の効果】
本発明は、前記のように構成したので次に示すような顕著な効果を奏する。本発明のプッシュスイッチは、ボタンを押圧することで、回転子（接続片）と固定端子との間隔が広がったとしても、接続片に設けられたアームが撓曲することで、固定端子と接続片との接触が保たれるように構成されている。よって、アームの曲成（曲率）の程度を変更することにより、固定端子とアームとの接触／非接触のタイミングを、ボタンの押圧動作における任意の時期に設定することが可能となる。つまり、プッシュスイッチのＯＮ／ＯＦＦ動作のタイミングをボタンの押圧動作における任意の時期に設定することが可能となる。また、固定端子の形状を変更することで、プッシュスイッチのＯＮ／ＯＦＦ動作のタイミングをボタンの上死点への復帰動作の任意の時期に設定することが可能となるまた、本発明のプッシュスイッチにおいては、スイッチのＯＮ／ＯＦＦ動作が、アームが伸び切った状態において行われるので、スイッチのＯＮ／ＯＦＦ動作に伴う、アームの回転時にアームと固定端子との摩擦を従来のプッシュスイッチよりも小さくすることが可能となり、アームと固定端子との間にグリス等を封入する必要がなくなった。（請求項１，２）。
【００７５】
本発明のプッシュスイッチは、従来は、１本のスプリングで為されていたボタンと回転子の付勢を、別々のスプリング（第２スプリングと第１スプリング）で行っている。そのため、回転子を付勢する第１スプリングとして従来のスプリングに比べてバネ定数及び弾発力が小さいスプリングを使用することが可能となった。これにより、ボタンが下死点から上死点に復帰する際に、第１スプリングで付勢された回転子が他部材と衝突することにより発生する復帰音を従来のプッシュスイッチよりも小さくすることが可能となる。また、本発明のプッシュスイッチにおいては、第１スプリングで付勢された回転子が他部材と衝突する際に、回転子に設けられた接続片のアームが撓んでクッションの役割を果たすので、回転子と他部材との衝突力を小さくすることができ、復帰音を従来のプッシュスイッチよりも小さくすることができる（請求項１）。
【００７６】
本発明のプッシュスイッチには、ボタンの外周面に過回転防止用凸条が設けられている。この過回転防止用凸条がボタンを上下方向にのみ案内するので、ボタンが過剰に押圧され、ボタンのリブが案内溝から外れてしまったとしても、ボタンが周方向に回転することがない。これにより、リブが筒部カム面に乗り上げるという不良を防止することが可能となる（請求項３）。
【００７７】
本発明のプッシュスイッチは、ボタンの下端部からガイドポールが延出しており、このガイドポールはボタンの押圧時に下部ケースの挿入部により案内されるように構成されている。これにより、ボタンが押圧された際に、ボタンの水平方向のブレを抑制することが可能となる（請求項４）。
【００７８】
本発明のプッシュスイッチは、外部配線を接続する固定端子の端子部を、固定端子の平面部からＵ字型に下方に延出し、さらに、前記平面部から離間する方向に曲成したので、端子部に挿入される外部配線の形状によらず、外部配線を確実に固定することができる（請求項５）。
【図面の簡単な説明】
【図１】本発明のプッシュスイッチの分解斜視図である。
【図２】上部ケースの斜視図（ａ）と、図２（ａ）のＡ−Ａ断面図（ｂ）である。
【図３】固定端子の斜視図（ａ）と、固定端子の端子部の側面図（ｂ）である。
【図４】ボタンの斜視図（ａ）と、ボタンの側面図（ｂ）である。
【図５】接続片の斜視図（ａ）と、接続片の正面図（ｂ）と、接続片の側面図（ｃ）である。
【図６】回転子の斜視図（ａ）と、回転子の側面図（ｂ）である。
【図７】第１スプリングの斜視図（ａ）と、第２スプリングの斜視図（ｂ）である。
【図８】下部ケースの斜視図である。
【図９】ボタンが上死点に存在するときのカム機構を平面的に展開した模式図（ａ）と、図９（ａ）における接続片と第１端子との位置関係を示す模式図（ｂ）である。
【図１０】ボタンが押圧され始めた状態のカム機構を平面的に展開した模式図（ａ）と、図１０（ａ）における接続片と第１端子との位置関係を示す模式図（ｂ）である。
【図１１】ボタンが下死点に存在するときのカム機構を平面的に展開した模式図（ａ）と、図１１（ａ）における接続片と第１端子との位置関係を示す模式図（ｂ）である。
【図１２】ボタンが復帰して上死点に存在するときのカム機構を平面的に展開した模式図（ａ）と、図１２（ａ）における接続片と第１端子との位置関係を示す模式図（ｂ）である。
【図１３】従来のプッシュスイッチの分解斜視図である。
【図１４】従来のプッシュスイッチにおけるアクチュエータハウジング１０１の断面図である。
【図１５】従来のプッシュスイッチにおける押しボタンの断面図（ａ）と、側面図（ｂ）である。
【図１６】従来のプッシュスイッチにおけるアクチュエータカムフォロワー１０２の側面図（ａ）と断面図（ｂ）である。
【図１７】従来のプッシュスイッチにおける回転接触担持体１０４の側面図である。
【図１８】従来のプッシュスイッチにおけるカム機構を平面的に展開した模式図である。
【図１９】従来のプッシュスイッチにおけるカム機構を平面的に展開した模式図である。
【符号の説明】
１  上部ケース
１ａ  筐体
１ａ１  上端面
１ａ２  側壁
１ｃ  案内溝
１ｄ  凸条
１ｅ  筒部カム面
２ａ，２ｂ，２ｃ  固定端子
２ａ  第１端子
２ｂ  中央端子
２ｃ  第２端子
２ａ１，２ｂ１，２ｃ１  平面部
２ａ２，２ｂ２，２ｃ２  端子部
３  ボタン
３ａ  ガイドポール
３ｂ  上端面
３ｃ  下端面
３ｄリブ
３ｅ  ボタンカム面
３ｆ  過回転防止用凸条
４  接続片
４ａ  アーム
４ｂ  ベース
５  回転子
５ａ  フランジ
５ｂ  本体部
５ｃ  突起
５ｄ  回転子カム面
５ｅ  溝
６  第２スプリング
７  第１スプリング
８  下部ケース
８ａ  挿入部
８ｂ，８ｃ  側壁
８ｂ１，８ｃ１  上端面
８ｄ  底部
【図１】
0004132889.tif 000002
【図２】
0004132889.tif 000003
【図３】
0004132889.tif 000004
【図４】
0004132889.tif 000005
【図５】
0004132889.tif 000006
【図６】
0004132889.tif 000007
【図７】
0004132889.tif 000008
【図８】
0004132889.tif 000009
【図９】
0004132889.tif 000010
【図１０】
0004132889.tif 000011
【図１１】
0004132889.tif 000012
【図１２】
0004132889.tif 000013
【図１３】
0004132889.tif 000014
【図１４】
0004132889.tif 000015
【図１５】
0004132889.tif 000016
【図１６】
0004132889.tif 000017
【図１７】
0004132889.tif 000018
【図１８】
0004132889.tif 000019
【図１９】
0004132889.tif 000020